(57)【要約】【課題】確立しているＲＺＳＳＢ通信に与える影響を軽減して割り込み通信を行う。【解決手段】スイッチ１０が、割り込み通信時に、発振器８４で発生されたキャリアが減衰器８５で減衰された低減搬送波の加算器８６への入力をオフする。そのため、マイク８１から入力された音声は、Ａ／Ｄ変換器８２でアナログ信号に変換され、発振器８４によるキャリアとともにＳＳＢ変調器８３でＳＳＢ信号に変調され、加算器８６で低減搬送波が付加されないままＤ／Ａ変換器８７でデジタル信号に変換され、送信ＲＦ回路８８でＲＦ信号に変換され、アンテナ８９から送信される。受信先の無線機は、割り込み信号として受信されるＳＳＢ信号にキャリアが付加されていないので、他の無線機との間で確立している通信におけるキャリアの大きさが変動せず、復調する音声の大きさをほぼ一定に保つことができ、ビート障害を生じない。【選択図】図２
2012165117.tif 000002
【特許請求の範囲】
【請求項１】
ＲＺＳＳＢ信号を生成する無線機であって、
入力信号をＳＳＢ変調してＳＳＢ信号を生成するＳＳＢ変調器と、
低減搬送波を生成する低減搬送波生成部と、
前記ＳＳＢ信号と前記低減搬送波とを加算して前記ＲＺＳＳＢ信号を生成する加算器とを備え、
前記低減搬送波生成部から出力される前記低減搬送波の前記加算器への入力をオン又はオフするスイッチが、前記低減搬送波生成部と前記加算器との間に配置された
ことを特徴とする無線機。
【発明の詳細な説明】
【技術分野】
【０００１】
本発明は、ＲＺＳＳＢ変調方式の無線機に関し、特に、割り込み通信を行う無線機に関する。
【背景技術】
【０００２】
従来、移動体通信等において、狭帯域でフェージング特性が良好なことから、ＲＺＳＳＢ（Real Zero Single Side Band）方式を用いた無線通信が行われている（例えば、特許文献１を参照）。
【０００３】
図３は、従来のＲＺＳＳＢ方式で通信を行う無線機の送信部８００の構成を示すブロック図である。送信部８００は、マイク８１とＡ／Ｄ変換器８２とＳＳＢ変調器８３と発振器８４と減衰器８５と加算器８６とＤ／Ａ変換器８７と送信ＲＦ回路８８とアンテナ８９とを備えている。発振器８４と減衰器８５とにより低減搬送波生成部８４５は構成される。
【０００４】
音声は、マイク８１を介して入力され、Ａ／Ｄ変換器８２でデジタル信号に変換される。ＳＳＢ変調器８３には、デジタル信号に変換された音声信号と発振器８４で発生されたキャリア（搬送波）とが入力される。ＳＳＢ変調器８３は、デジタル信号に変換された音声と発振器８４から出力されるキャリアとに基づいてＳＳＢ変調を行い、ＳＳＢ信号を生成して加算器８６に出力する。ＳＳＢ信号は、キャリアが抑圧された単側波帯（上側波帯又は下側波帯）信号であり、音声に対応する信号成分である。
【０００５】
ＳＳＢ信号は、発振器８４で発生されたキャリアの一部が減衰器８５で減衰された低減搬送波と加算器８６で加算され、低減搬送波付きのＳＳＢ信号であるＲＺＳＳＢ信号となる。図４は、ＲＺＳＳＢ変調波の周波数特性を示したものである。ＲＺＳＳＢ変調波は、低減搬送波とＳＳＢ変調波とで構成される。
【０００６】
ＲＺＳＳＢ信号は、Ｄ／Ａ変換器８７でアナログ信号に変換され、送信ＲＦ回路８８でＲＦ信号に変換され、アンテナ８９を介して送信される。
【０００７】
図５は、従来のＲＺＳＳＢ方式で通信を行う無線機の受信部９００の構成を示すブロック図である。受信部９００は、アンテナ８９と受信ＲＦ回路９１とＡ／Ｄ変換器９２とキャリア再生回路９３と加算器９４と位相検波器９５とリニアライザ９６とＤ／Ａ変換器９７とスピーカ９８とを備えている。
【０００８】
アンテナ８９を介して受信されたＲＺＳＳＢ信号は、受信ＲＦ回路９１でＩＦ信号に変換され、Ａ／Ｄ変換器９２でデジタル信号に変換される。キャリア再生回路９３では、ＲＺＳＳＢ信号から抽出した低減搬送波に基づいてキャリアを再生して加算器９４に出力する。
【０００９】
Ａ／Ｄ変換器９２から出力されるＲＺＳＳＢ信号は、加算器９４でキャリア再生回路９３からのキャリアと加算され、位相検波器９５で位相検波される。低減搬送波付きのＳＳＢ信号であるＲＺＳＳＢ信号では、位相項（実数零点列）に情報が乗っている。位相検波器９５は、ＲＺＳＳＢ信号の位相項を位相検波することにより復調を行って音声信号をリニアライザ９６に出力する。復調された音声信号は、リニアライザ９６で歪み成分が除去され、Ｄ／Ａ変換器８７でアナログ信号に変換され、スピーカ９８から音声として出力される。
【００１０】
ところで、緊急の情報を伝えたい場合などに、１対１の通信が確立した無線機に対して、他の無線機が割り込みを行うことがある。通常、デジタル方式では、無線機同士の通信が確立すると回線交換を行わない限り、他の無線機が通信を行っている無線機と通話することができない。それに対し、ＲＺＳＳＢ方式は、変復調をＤＳＰ（Digital Signal Processor）で処理するデジタル変調方式であるが、音声自体をデジタル符号化せずにアナログ信号として送信しているため、ＲＺＳＳＢ信号の振幅に割り込みの情報を乗せることが可能である。そのため、ＲＺＳＳＢ方式では、他の無線機が振幅変調させたＲＺＳＳＢ信号を、割り込み先であり通信を確立させている無線機と同一周波数で送信して、通信に割り込むことが可能である。
【先行技術文献】
【特許文献】
【００１１】
【特許文献１】特開２００８−２３６２４４号公報
【発明の概要】
【発明が解決しようとする課題】
【００１２】
しかしながら、ＲＺＳＳＳＢ方式による通信では、ＲＺＳＳＢ信号の音声の大きさがキャリアの大きさでほぼ決定するため、受信機側において、割り込むＲＺＳＳＢ信号によりキャリアの大きさが変動して急激な音の増減が生じてしまい、音声を聞き取りにくくなるという問題がある。また、最初に通信を確立するＲＺＳＳＢ信号のキャリアと、割り込みで送信するＲＺＳＳＢ信号のキャリアとにズレがある場合、ビート障害が生じてしまう。
【００１３】
本発明は上記課題に鑑みてなされたものであり、確立されているＲＺＳＳＢ通信に与える影響を軽減して割り込み通信を行う技術を提供することを目的とする。
【課題を解決するための手段】
【００１４】
本発明の無線機は、ＲＺＳＳＢ信号を生成する無線機であって、入力信号をＳＳＢ変調してＳＳＢ信号を生成するＳＳＢ変調器と、低減搬送波を生成する低減搬送波生成部と、前記ＳＳＢ信号と前記低減搬送波とを加算して前記ＲＺＳＳＢ信号を生成する加算器とを備え、前記低減搬送波生成部から出力される前記低減搬送波の前記加算器への入力をオン又はオフするスイッチが、前記低減搬送波生成部と前記加算器との間に配置されたことを特徴とする。
【発明の効果】
【００１５】
本発明によれば、確立されているＲＺＳＳＢ通信に与える影響を軽減して割り込み通信を行うことができる。
【図面の簡単な説明】
【００１６】
【図１】本発明に係る実施形態の無線システムの全体構成を示す図である。
【図２】本発明に係る実施形態における無線機の送信部の構成を示すブロック図である。
【図３】従来の無線機の送信部の構成を示すブロック図である。
【図４】従来の無線機のＲＺＳＳＢ信号の周波数特性を示す図である。
【図５】従来の無線機の受信部の構成を示すブロック図である。
【発明を実施するための形態】
【００１７】
以下、図を参照して本発明の実施形態を詳細に説明する。
【００１８】
図１は、本実施形態の無線システムの全体構成を示す図である。図１では、３台の無線機Ｘ，Ｙ，Ｚが示されているが、各無線機の構成は同一である。また、無線機の数は３台以上であってもよい。以下では、便宜的に、ＲＺＳＳＢ方式で１対１の通信を確立している２台の無線機をそれぞれＸ，Ｙと呼び、無線機Ｙに対し割り込み通信を行う無線機を無線機Ｚとして説明する。
【００１９】
図２は、本実施形態における無線機Ｚの送信部１００の構成を示すブロック図である。本実施形態において、従来の無線機の送信部８００と同様の構成には同一の符号を付して、その説明を省略する。図２において、本実施形態の送信部１００が従来の無線機の送信部８００と異なる点は、減衰器８５と加算器８６との間にスイッチ１０が設けられている点である。
【００２０】
スイッチ１０は、無線機Ｚの使用者の操作に応じて、減衰器８５から加算器８６への低減搬送波の入力をオン又はオフする。例えば、使用者が、割り込み通信時に減衰器８５から加算器８６への低減搬送波の入力をオフするようスイッチ１０を操作することで、減衰器８５から出力される低減搬送が加算器８６に入力されず、割り込み通信を行わないときに減衰器８５から加算器８６への低減搬送波の入力をオンするようスイッチ１０を操作することで、減衰器８５から出力される低減搬送波が加算器８６に入力される。
【００２１】
使用者によって、割り込み通信時に減衰器８５から加算器８６への低減搬送波の入力をオンするようスイッチ１０が操作されると、加算器８６に低減搬送波が入力されるので、上述したＲＺＳＳＢ信号がアンテナ８９を介して送信される。一方、使用者によって、割り込み通信時に減衰器８５から加算器８６への低減搬送波の入力をオフするようスイッチ１０が操作されると、加算器８６に低減搬送波が入力されないため、ＳＳＢ変調器８３で変調されたＳＳＢ信号に低減搬送波が付加されないまま、すなわちＳＳＢ信号自体が、Ｄ／Ａ変換器８７でアナログ変換され、送信ＲＦ回路８８でＲＦ信号に変換され、アンテナ８９を介して送信される。ＳＳＢ信号は、ＲＺＳＳＢ信号と同一周波数で送信される。
【００２２】
ＳＳＢ信号は、ＲＺＳＳＢ方式により通信が確立している無線機Ｙの受信部９００に割り込み信号として受信される。本実施形態の受信部の構成は、従来の受信部９００と同一でよい。受信部９００は、ＲＺＳＳＢ信号に加えて、割り込み信号であるＳＳＢ信号を受信することになる。割り込み信号であるＳＳＢ信号は、ＲＺＳＳＢ信号と同一周波数で送信されるから、受信部９００においてキャリア再生回路９３でＲＺＳＳＢ信号に基づいて再生されるキャリアと加算器９４で加算されることにより、ＲＺＳＳＢ信号が復調される際に共に復調され、スピーカ９８を介して出力される。
【００２３】
割り込み信号であるＳＳＢ信号には、低減搬送波が付加されていないため、受信部９００の受信信号は、図３におけるＳＳＢ変調波の部分のみが変動する。そのため、受信部９００が割り込みを受ける前後で復調する際のキャリアの大きさが変動しないので、音声の大きさに変動がなく音声を聞きやすくすることができる。また、本実施形態では、割り込み信号にキャリアが付加されていないため、ビート障害を生じることもない。
【００２４】
また、このように割り込み信号をＳＳＢ信号とすることにより、割り込みを行う無線機Ｚにおいてキャリア付加分の電力を節約することができる。また、本実施形態では、ＳＳＢ信号での割り込みにおいて、ＲＺＳＳＢ方式で通信を確立している無線機と同一周波数を使用するため、割り込み信号のために新たにチャネルを用意する必要がなく、周波数を節約することができる。また、割り込みされる無線機Ｙの受信部９００は、ＲＺＳＳＢ方式で通信を確立しておけば、ＳＳＢ変調波を同一回路で復調可能であるため、割り込み信号であるＳＳＢ信号のために復調器を追加する必要もなく、また、割り込み波の同期をとる必要もない。
【００２５】
以上、本実施形態を概説すると、
（１）本実施形態の無線機は、ＲＺＳＳＢ信号を生成する無線機であって、入力信号をＳＳＢ変調してＳＳＢ信号を生成するＳＳＢ変調器と、低減搬送波を生成する低減搬送波生成部と、前記ＳＳＢ信号と前記低減搬送波とを加算して前記ＲＺＳＳＢ信号を生成する加算器とを備え、前記低減搬送波生成部から出力される前記低減搬送波の前記加算器への入力をオン又はオフするスイッチが、前記低減搬送波生成部と前記加算器との間に配置されたことを特徴とする。
（２）また、（１）に記載の無線機は、ＲＺＳＳＢ方式で確立された通信に対して割り込みを行う場合、前記スイッチにより前記低減搬送波の前記加算器への入力をオフしてもよい。
（３）また、（２）に記載の無線機は、前記ＲＺＳＳＢ信号を送信するときと同一周波数でＳＳＢ信号を送信してもよい。
（４）また、（２）に記載の無線機は、ＲＺＳＳＢ方式で確立された通信に対して割り込みを行わない場合、前記スイッチにより前記低減搬送波の前記加算器への入力をオンしてもよい。
【００２６】
本発明は上述した実施の形態に限定されるものではなく、本発明の趣旨を逸脱しない範囲で種々様々に変更が可能であることは言うまでもない。なお、上記実施形態において、同様の機能を示す構成には、同一の符号を付してある。
【符号の説明】
【００２７】
１０：スイッチ
８１：マイク
８２，９２：Ａ／Ｄ変換器
８３：ＳＳＢ変調器
８４：発振器
８５：減衰器
８６，９４：加算器
８７，９７：Ｄ／Ａ変換器
８８：送信ＲＦ回路
８９：アンテナ
９１：受信ＲＦ回路
９３：キャリア再生回路
９５：位相検波器
９６：リニアライザ
９８：スピーカ
１００，８００：送信部
８４５：低減搬送波生成部
９００：受信部
Ｘ，Ｙ，Ｚ：無線機
【図１】
2012165117.tif 000003
【図２】
2012165117.tif 000004
【図３】
2012165117.tif 000005
【図４】
2012165117.tif 000006
【図５】
2012165117.tif 000007